(57)【要約】【課題】正規の使用者から測定された生体情報と、その使用者との対応付けを正確に行うことのできる生体情報測定装置、生体情報の管理方法、及び、生体情報の管理プログラムを提供する。【解決手段】生体情報測定装置１００は、生体に装着されている装着状態と生体から外れている非装着状態とのどちらであるかを判定する着脱判定部３６と、生体情報測定装置１００を装着中の使用者が予め登録された登録使用者であるか否かを判定し判定結果を記憶する個人識別部３５と、使用者が登録使用者であるとする判定結果が記憶された場合に、登録使用者を示す情報を測定された生体情報と対応付けて記憶する記憶制御部３３と、を備え、個人識別部３５は、非装着状態であると判定されている期間が予め決められた時間を超える場合に、上記判定結果を消去する。【選択図】図５
2018099177.tif 000002
【特許請求の範囲】
【請求項１】
生体に装着された状態で前記生体から生体情報を継続的に測定する生体情報測定装置であって、
前記生体情報測定装置が前記生体に装着されている装着状態と、前記生体情報測定装置が前記生体から外れている非装着状態とのどちらであるかを判定する着脱判定部と、
前記装着状態において、前記生体情報測定装置を装着中の使用者が予め登録された登録使用者であるか否かを判定し判定結果を記憶する個人識別部と、
前記使用者が前記登録使用者であるとする判定結果が記憶された場合に、前記登録使用者を示す情報を前記測定された生体情報と対応付けて記憶する記憶制御部と、を備え、
前記個人識別部は、前記非装着状態であると判定されている期間が予め決められた時間を超える場合に、前記判定結果を消去する生体情報測定装置。
【請求項２】
請求項１記載の生体情報測定装置であって、
前記記憶制御部は、前記使用者が前記登録使用者ではないとする判定結果が記憶された場合に、非登録使用者を示す情報を前記測定された生体情報と対応付けて記憶する生体情報測定装置。
【請求項３】
請求項２記載の生体情報測定装置であって、
前記記憶制御部が前記生体情報に対応付けて記憶する前記情報の内容を報知する報知部を更に備える生体情報測定装置。
【請求項４】
生体に装着された状態で前記生体から生体情報を継続的に測定する生体情報測定装置によって測定された生体情報の管理方法であって、
前記生体情報測定装置が前記生体に装着されている装着状態と、前記生体情報測定装置が前記生体から外れている非装着状態とのどちらであるかを判定するステップと、
前記装着状態において、前記生体情報測定装置を装着中の使用者が予め登録された登録使用者であるか否かを判定し判定結果を記憶するステップと、
前記使用者が前記登録使用者であるとする判定結果が記憶された場合に、前記登録使用者を示す情報を前記測定された生体情報と対応付けて記憶するステップと、
前記非装着状態であると判定されている期間が予め決められた時間を超える場合に前記判定結果を消去するステップと、を備える生体情報の管理方法。
【請求項５】
生体に装着された状態で前記生体から生体情報を継続的に測定する生体情報測定装置によって測定された生体情報の管理プログラムであって、
前記生体情報測定装置が前記生体に装着されている装着状態と、前記生体情報測定装置が前記生体から外れている非装着状態とのどちらであるかを判定するステップと、
前記装着状態において、前記生体情報測定装置を装着中の使用者が予め登録された登録使用者であるか否かを判定し判定結果を記憶するステップと、
前記使用者が前記登録使用者であるとする判定結果が記憶された場合に、前記登録使用者を示す情報を前記測定された生体情報と対応付けて記憶するステップと、
前記非装着状態であると判定されている期間が予め決められた時間を超える場合に前記判定結果を消去するステップと、をコンピュータに実行させるための生体情報の管理プログラム。
【発明の詳細な説明】
【技術分野】
【０００１】
本発明は、生体情報測定装置、生体情報の管理方法、及び、生体情報の管理プログラムに関する。
【背景技術】
【０００２】
装置又はサービス等の利用を特定の個人に対してのみ可能とするための個人認証技術としては、指紋認証、顔画像認証、虹彩認証、又は、静脈認証等の生体に固有の情報を利用したものが一般的に知られている。
【０００３】
特許文献１には、手首に装着されると、静脈パターンによる認証処理を行い、使用者が登録使用者であれば、測定した生体情報を登録使用者を示す認証情報と関連付けて記憶し、使用者が未登録使用者であれば、測定した生体情報を未登録使用者を示す認証情報と関連付けて記憶し、手首から外されると各機能が無効になるバイタルセンサが記載されている。
【０００４】
特許文献２には、装置が人体に装着されているかの確認と、この装置を装着している使用者が登録使用者であるかの確認（指紋認証等による確認）を行い、これらの確認が完了すると、装置で測定された運動情報を暗号化して表示する運動状態モニタ装置が記載されている。
【０００５】
特許文献３には、ウェアラブル型の生体情報測定装置と、人間の腕に装着され、生体情報測定装置によって測定された生体情報の測定結果を収集する生体情報収集装置と、を有するシステムが記載されている。生体情報収集装置は、使用者に装着されると認証処理を開始し、使用者に装着されている間は、認証時の認証情報を有効とし、装着が解除されると認証情報を無効にすることで高度なセキュリティを実現している。
【先行技術文献】
【特許文献】
【０００６】
【特許文献１】特開２０１３−２１２３１５号公報
【特許文献２】特開２００２−２３８８７７号公報
【特許文献３】特開２０１５−１５０３７５号公報
【発明の概要】
【発明が解決しようとする課題】
【０００７】
個人認証が必要な装置としては多々あるが、例えば、血圧情報（収縮期血圧、拡張期血圧、又は、脈圧等）、脈拍情報（脈拍数等）、心拍情報（心拍数等）、又は、血管特性情報等の生体情報を継続的に測定する生体情報測定装置が一例として挙げられる。このような生体情報測定装置は、診断等のために半日又は１日等の長い期間にわたって人体に装着されて使用される。血管特性情報は、ＡＩ（Ａｕｇｍｅｎｔａｔｉｏｎ  Ｉｎｄｅｘ）又はＰＴＴ（脈波伝播速度）等を含む。
【０００８】
正確な診断を行うためには、生体情報測定装置によって測定されて記憶された生体情報が診察対象となる本人から測定されたデータであることが必要である。
【０００９】
特許文献１に記載のバイタルセンサによれば、登録使用者から測定された生体情報と、未登録使用者から測定された生体情報とを明確に区別して記憶することができるため、診察対象となる本人から測定されたデータを用いた正確な診断が可能となる。
【００１０】
しかし、このバイタルセンサは、手首から外されると各機能が無効になる。このため、バイタルセンサが手首に対して動く程度に緩く装着されている場合等には、手首の動き等によってバイタルセンサが手首から外れたと誤って判断される可能性がある。このような場合には、生体情報の測定が停止され、個人認証結果も無効となるため、使い勝手が悪い。
【００１１】
特許文献２は、装置が人体から外れたときの動作については考慮していない。
【００１２】
特許文献３に記載の装置は、人体から外れると認証情報が無効になるため、装置が人体から外れたと誤って判断された場合には、個人認証結果が無効となり、使い勝手が悪い。
【００１３】
本発明は、上記事情に鑑みてなされたものであり、正規の使用者から測定された生体情報と、その使用者との対応付けを正確に行うことのできる生体情報測定装置、生体情報の管理方法、及び、生体情報の管理プログラムを提供することを目的とする。
【課題を解決するための手段】
【００１４】
本発明の生体情報測定装置は、生体に装着された状態で前記生体から生体情報を継続的に測定する生体情報測定装置であって、前記生体情報測定装置が前記生体に装着されている装着状態と、前記生体情報測定装置が前記生体から外れている非装着状態とのどちらであるかを判定する着脱判定部と、前記装着状態において、前記生体情報測定装置を装着中の使用者が予め登録された登録使用者であるか否かを判定し判定結果を記憶する個人識別部と、前記使用者が前記登録使用者であるとする判定結果が記憶された場合に、前記登録使用者を示す情報を前記測定された生体情報と対応付けて記憶する記憶制御部と、を備え、前記個人識別部は、前記非装着状態であると判定されている期間が予め決められた時間を超える場合に、前記判定結果を消去するものである。
【００１５】
本発明の生体情報の管理方法は、生体に装着された状態で前記生体から生体情報を継続的に測定する生体情報測定装置によって測定された生体情報の管理方法であって、前記生体情報測定装置が前記生体に装着されている装着状態と、前記生体情報測定装置が前記生体から外れている非装着状態とのどちらであるかを判定するステップと、前記装着状態において、前記生体情報測定装置を装着中の使用者が予め登録された登録使用者であるか否かを判定し判定結果を記憶するステップと、前記使用者が前記登録使用者であるとする判定結果が記憶された場合に、前記登録使用者を示す情報を前記測定された生体情報と対応付けて記憶するステップと、前記非装着状態であると判定されている期間が予め決められた時間を超える場合に前記判定結果を消去するステップと、を備えるものである。
【００１６】
本発明の生体情報の管理プログラムは、生体に装着された状態で前記生体から生体情報を継続的に測定する生体情報測定装置によって測定された生体情報の管理プログラムであって、前記生体情報測定装置が前記生体に装着されている装着状態と、前記生体情報測定装置が前記生体から外れている非装着状態とのどちらであるかを判定するステップと、前記装着状態において、前記生体情報測定装置を装着中の使用者が予め登録された登録使用者であるか否かを判定し判定結果を記憶するステップと、前記使用者が前記登録使用者であるとする判定結果が記憶された場合に、前記登録使用者を示す情報を前記測定された生体情報と対応付けて記憶するステップと、前記非装着状態であると判定されている期間が予め決められた時間を超える場合に前記判定結果を消去するステップと、をコンピュータに実行させるためのものである。
【発明の効果】
【００１７】
本発明によれば、正規の使用者から測定された生体情報と、その使用者との対応付けを正確に行うことのできる生体情報測定装置、生体情報の管理方法、及び、生体情報の管理プログラムを提供することができる。
【図面の簡単な説明】
【００１８】
【図１】本発明の一実施形態を説明するための生体情報測定装置１００の外観の概略構成を示す模式図である。
【図２】図１に示す生体情報測定装置１００の圧力センサ１０を手首との接触面側から見た平面模式図である。
【図３】図１に示す生体情報測定装置１００の本体部１の内部ハードウェア構成を示す図である。
【図４】図３に示す制御部３０の機能ブロック図である。
【図５】図１に示す生体情報測定装置１００の生体情報測定モード時の動作を説明するためのフローチャートである。
【発明を実施するための形態】
【００１９】
以下、本発明の一実施形態について図面を参照して説明する。
【００２０】
図１は、本発明の一実施形態を説明するための生体情報測定装置１００の外観の概略構成を示す模式図である。
【００２１】
生体情報測定装置１００は、本体部１と、本体部１に固定されたベルト２と、を備える。生体情報測定装置１００は、生体情報の測定対象となる橈骨動脈ＴＤが皮膚下に存在する手首に装着して用いられるものであり、本体部１がベルト２によって手首に装着されて使用される。生体情報測定装置１００が測定対象とする生体情報は、血圧情報、脈拍情報、心拍情報、又は、血管特性情報等である。
【００２２】
生体情報測定装置１００の本体部１は、橈骨動脈ＴＤから圧脈波を検出するための圧力センサ１０と、圧力センサ１０を手首に対して押圧するための押圧機構２０と、を備える。
【００２３】
図２は、図１に示す生体情報測定装置１００の圧力センサ１０を手首との接触面側から見た平面模式図である。図２に示すように、圧力センサ１０は、平板状の基体１１上に形成された素子列１２０を有する。
【００２４】
素子列１２０は、一方向である方向Ｘに並ぶ複数の圧力検出素子１２により構成されている。圧力検出素子１２としては圧力を検出して電気信号に変換するものであればよく、例えばピエゾ抵抗効果を利用したもの等が用いられる。
【００２５】
複数の圧力検出素子１２の配列方向の間隔は、橈骨動脈ＴＤ上に必要かつ充分な数が配置されるように充分小さくされている。複数の圧力検出素子１２のうち両端部にある圧力検出素子同士の間の距離は、橈骨動脈ＴＤの径寸法より必要かつ充分に大きくされている。
【００２６】
圧力センサ１０は、素子列１２０に含まれる複数の圧力検出素子１２の配列方向である方向Ｘが、橈骨動脈ＴＤの伸びる方向と交差する状態で押圧機構２０によって手首に押圧される。なお、圧力センサ１０は、基体１１上に方向Ｘと直交する方向に素子列１２０が複数配列された構成であってもよい。
【００２７】
図３は、図１に示す生体情報測定装置１００の本体部１の内部ハードウェア構成を示す図である。
【００２８】
本体部１は、圧力センサ１０と、押圧機構２０と、全体を統括制御する制御部３０と、記憶媒体４０と、表示部５０と、入力部６０と、着脱検知用センサ７０と、を備える。
【００２９】
押圧機構２０は、例えば、基体１１の素子列１２０が形成された面の反対面に固定された空気袋と、この空気袋の内圧を調整するためのポンプとにより構成される。押圧機構２０による手首への押圧力（上記のポンプの内圧）は、制御部３０によって制御される。押圧機構２０は、圧力センサ１０を手首に対して押圧できる機構であれば何でもよく、空気袋を用いたものには限定されない。
【００３０】
圧力センサ１０は、素子列１２０を構成する各圧力検出素子１２により検出された圧力信号を制御部３０に入力する。
【００３１】
制御部３０は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及び、プロセッサを含み、ＲＯＭに記憶されているプログラムをプロセッサが実行することで、本体部１全体を統括制御する。ＲＡＭは、制御部３０が各種処理を行う際のワークメモリとして機能する。
【００３２】
記憶媒体４０は、データの記憶及び読み出しが可能な媒体であり、例えばフラッシュメモリ等が用いられる。記憶媒体４０は、メモリカード等の可搬型のものであってもよいし、本体部１に固定されていて取り出し不可となっているものであってもよい。
【００３３】
表示部５０は、生体情報を含む各種情報を表示するものであり、例えば液晶表示素子によって構成される。
【００３４】
入力部６０は、個人の識別に必要な情報（以下、識別用情報という）を入力するためのデバイスである。識別用情報は、指紋情報、声紋情報、顔画像情報、虹彩情報、又は、静脈情報等の生体固有の情報である。
【００３５】
着脱検知用センサ７０は、生体情報測定装置１００が生体に装着されている装着状態であるか、生体情報測定装置１００が生体から外されている非装着状態であるかを判定するために用いられるセンサである。
【００３６】
着脱検知用センサ７０としては、静電容量式タッチセンサ又は圧力センサ等の物体との接触を検知するセンサ、伸縮センサ又は曲げセンサ等の生体情報測定装置１００の本体部１の形状変化によって人体との接触を検知するセンサ等が用いられる。
【００３７】
図４は、図３に示す制御部３０の機能ブロック図である。
【００３８】
制御部３０は、コンピュータが読み取り可能な非一時的な記憶媒体である上記のＲＯＭに記憶されたプログラムを実行することにより、押圧制御部３１と、生体情報算出部３２と、記憶制御部３３と、情報入力要求部３４と、個人識別部３５と、着脱判定部３６として機能する。このプログラムは、生体情報の管理プログラムを含む。
【００３９】
押圧制御部３１は、押圧機構２０を駆動して、押圧機構２０による圧力センサ１０の手首への押圧力を制御する。
【００４０】
生体情報算出部３２は、押圧機構２０によって圧力センサ１０が手首に最適押圧力で押圧されている押圧状態で、素子列１２０を構成する複数の圧力検出素子１２のうちの最適圧力検出素子により検出された圧脈波の情報に基づいて血圧情報、脈拍情報、心拍情報、又は、血管特性情報等の生体情報を１拍毎又は複数拍毎に算出する。本明細書では、生体情報の算出と生体情報の測定は同義であるものとして説明する。
【００４１】
最適押圧力とは、この最適押圧力によって圧迫された橈骨動脈ＴＤから血管の周方向の張力の影響を受けずに圧脈波を検出できる状態、すなわちトノメトリ状態を実現する押圧力である。最適圧力検出素子とは、最適押圧力によって圧力センサ１０により圧迫されて平坦になっている橈骨動脈ＴＤの部分の真上に位置する圧力検出素子１２のことをいう。
【００４２】
情報入力要求部３４は、生体情報測定装置１００が生体に装着された状態において、入力部６０による識別用情報の入力の要求を行う。情報入力要求部３４が識別用情報の入力を要求するタイミングは任意であるが、例えば生体情報の測定開始前に設定される。
【００４３】
個人識別部３５は、情報入力要求部３４によって行われる上記の要求に応じて入力された識別用情報に基づいて、生体情報測定装置１００を装着中の使用者が予め登録された登録使用者であるか否かを判定し判定結果を上記のＲＡＭに記憶する。
【００４４】
例えば、入力部６０が指紋情報を入力するデバイスである場合には、記憶媒体４０に予め記憶されている生体情報測定装置１００の正規の使用者の指紋情報と、入力部６０から入力された指紋情報とを比較し、この２つの指紋情報の一致度が閾値以上の場合に、生体情報測定装置１００の装着中の使用者が登録使用者であると判定する。
【００４５】
記憶制御部３３は、生体情報算出部３２により算出された生体情報の記憶媒体４０への記憶制御を行う。具体的には、記憶制御部３３は、上記のＲＡＭに記憶された判定結果が、使用者が登録使用者であるとする判定結果である場合には、登録使用者を示す情報（正規ＩＤ）を、生体情報算出部３２により算出された生体情報と対応付けて記憶する。
【００４６】
記憶制御部３３は、上記のＲＡＭに記憶された判定結果が、使用者が登録使用者ではないとする判定結果である場合には、登録使用者以外の未登録使用者を示す情報（ダミーＩＤ）を、生体情報算出部３２により算出された生体情報と対応付けて記憶する。
【００４７】
着脱判定部３６は、着脱検知用センサ７０の出力信号に基づいて、生体情報測定装置１００が生体に装着されている装着状態と、生体情報測定装置１００が生体から外れている非装着状態とのどちらであるかを判定する。
【００４８】
着脱判定部３６は、例えば、着脱検知用センサ７０の出力信号が生体との接触を検知していることを示すものであれば装着状態であると判定し、着脱検知用センサ７０の出力信号が生体との接触を検知していないことを示すものであれば非装着状態であると判定する。
【００４９】
生体情報測定装置１００の記憶媒体４０には、この生体情報測定装置１００の利用を医師から要求された正規の使用者を識別するための識別用情報が記憶される。生体情報測定装置１００には、この識別用情報を記憶媒体４０に記憶するユーザ登録モードが設けられている。
【００５０】
以下、ユーザ登録モードが設定されたときの生体情報測定装置１００の動作を説明する。
【００５１】
ユーザ登録を行う指示がボタン操作等により行われると、制御部３０は、識別用情報の入力を要求し、この要求に応じて入力部６０から入力された識別用情報を、正規の使用者であることを示す正規ＩＤと対応付けて記憶媒体４０に記憶し、ユーザ登録モードを終了する。この一連の処理より、特定の使用者が正規の使用者として生体情報測定装置１００に登録されることになる。
【００５２】
図５は、図１に示す生体情報測定装置１００の生体情報測定モード時の動作を説明するためのフローチャートである。
【００５３】
被測定者が生体情報測定装置１００を手首に装着して、生体情報測定装置１００に設けられた不図示の電源ボタンを押すと、制御部３０の着脱判定部３６は、着脱検知用センサ７０の出力信号に基づいて生体情報測定装置１００が生体に装着されているか否かを判定し（ステップＳ０）、装着状態であると判定した場合にはステップＳ１の処理を行い、非装着状態であると判定した場合にはステップＳ０の判定を繰り返し行う。
【００５４】
ステップＳ１において、制御部３０の情報入力要求部３４は、識別用情報の入力を要求する（ステップＳ１）。
【００５５】
例えば、情報入力要求部３４は、「指紋認証を開始します。指紋センサに指をあててください」、「顔認証（虹彩認証）を開始します。カメラに顔を向けてください」、又は、「声紋認証を開始します。マイクに向かって〇〇と発声してください」等のように、識別用情報の入力を要求するためのメッセージ情報を表示部５０に表示させる。
【００５６】
このメッセージ情報の表示と合わせて、図示しないスピーカから音を出力したり、図示しないバイブレータを作動させて装置を振動させたりすることで、メッセージ情報を使用者が気付きやすくするようにしてもよい。また、情報入力要求部３４は、表示部５０にメッセージ情報を表示させる代わりに、スピーカから音声によってメッセージ情報を出力してもよい。
【００５７】
このようにして出力されたメッセージ情報にしたがい、使用者が入力部６０によって識別用情報を入力すると、個人識別部３５は、入力部６０から入力された識別用情報と、記憶媒体４０に記憶されている正規ＩＤに対応する識別用情報とに基づいて、生体情報測定装置１００を装着中の使用者が登録使用者であるか否かを判定し、その判定結果を上記のＲＡＭに記憶する（ステップＳ２）。
【００５８】
具体的には、個人識別部３５は、２つの識別用情報の一致度が閾値以上であれば、生体情報測定装置１００を装着中の使用者が登録使用者であると判定し、判定結果としての認証成功を示す情報を日時と対応付けてＲＡＭに記憶する。
【００５９】
個人識別部３５は、２つの識別用情報の一致度が閾値未満であれば、生体情報測定装置１００を装着中の使用者が登録使用者ではないと判定し、判定結果としての認証失敗を示す情報を日時と対応付けてＲＡＭに記憶する。
【００６０】
また、個人識別部３５は、情報入力要求部３４によって識別用情報の入力の要求がなされてから１０秒等の所定時間が経過するまでの間に、入力部６０によって識別用情報が入力されなかった場合にも、判定結果としての認証失敗を示す情報を日時と対応付けてＲＡＭに記憶する。
【００６１】
ステップＳ２でＲＡＭに記憶された判定結果が認証成功であった場合（ステップＳ３：ＹＥＳ）には、押圧制御部３１によって押圧機構２０による手首への押圧力が制御され、この状態で、圧力センサ１０の最適圧力検出素子から検出された圧脈波に基づいて、生体情報算出部３２が生体情報を算出する（ステップＳ４）。
【００６２】
そして、記憶制御部３３は、ステップＳ４で算出された生体情報を正規ＩＤと対応付けて記憶媒体４０に記憶する（ステップＳ５）。
【００６３】
ステップＳ５の後、制御部３０の着脱判定部３６は、装着状態と非装着状態のどちらであるかの判定を行う（ステップＳ６）。
【００６４】
非装着状態であるとの判定がなされた場合（ステップＳ６：ＹＥＳ）には、個人識別部３５は、非装着状態と判定されている期間が予め決められた時間（閾値）を超えたか否かを判定し、この期間が閾値を超えていれば（ステップＳ７：ＹＥＳ）、ステップＳ２の処理でＲＡＭに記憶した判定結果を消去する（ステップＳ８）。そして、生体情報の測定が停止される。
【００６５】
ステップＳ６において装着状態であるとの判定がなされた場合（ステップＳ６：ＮＯ）と、ステップＳ７において期間が閾値以下であった場合（ステップＳ７：ＮＯ）には、ステップＳ４に処理が戻り、生体情報が測定され、測定された生体情報が正規ＩＤと対応付けて記憶される処理が繰り返される。
【００６６】
ステップＳ２でＲＡＭに記憶された判定結果が認証失敗であった場合（ステップＳ３：ＮＯ）には、押圧制御部３１によって押圧機構２０による手首への押圧力が制御され、この状態で、圧力センサ１０の最適圧力検出素子から検出された圧脈波に基づいて、生体情報算出部３２が生体情報を算出する（ステップＳ９）。
【００６７】
そして、記憶制御部３３は、ステップＳ９で算出された生体情報をダミーＩＤと対応付けて記憶媒体４０に記憶する（ステップＳ１０）。
【００６８】
ステップＳ１０の後、制御部３０の着脱判定部３６は、装着状態と非装着状態のどちらであるかの判定を行う（ステップＳ１１）。
【００６９】
非装着状態であるとの判定がなされた場合（ステップＳ１１：ＹＥＳ）には、個人識別部３５は、非装着状態と判定されている期間が閾値を超えたか否かを判定し、この期間が閾値を超えていれば（ステップＳ１２：ＹＥＳ）、ステップＳ２の処理でＲＡＭに記憶した判定結果を消去する（ステップＳ８）。そして、生体情報の測定が停止される。
【００７０】
ステップＳ１１において装着状態であるとの判定がなされた場合（ステップＳ１１：ＮＯ）と、ステップＳ１２において期間が閾値以下であった場合（ステップＳ１２：ＮＯ）には、ステップＳ９に処理が戻り、生体情報が測定され、測定された生体情報がダミーＩＤと対応付けて記憶される処理が繰り返される。
【００７１】
以上のように、生体情報測定装置１００によれば、登録使用者から測定された生体情報と未登録使用者から測定された生体情報とが区別して記憶されるため、登録使用者の測定データを用いて、登録使用者の診断を正確に行うことができる。
【００７２】
また、生体情報測定装置１００では、着脱判定部３６によって非装着状態であると判定されても、非装着状態の継続時間が閾値以下であれば、生体情報の測定及び記憶は継続して行われる。
【００７３】
例えば、生体情報測定装置１００が手首に緩く装着されていて、使用者が生体情報測定装置１００を触るなどして装着位置がずれることで、僅かな時間、非装着状態と判定されることがあっても、個人識別部３５による判定結果が消去されることはない。このため、非装着状態と誤判定されることによる認証のやり直しを防ぐことができ、装置の使い勝手を向上させることができる。
【００７４】
また、生体情報測定装置１００によれば、生体情報測定装置１００が手首から完全に外されることで、非装着状態の継続時間が閾値を超えた場合には判定結果が消去される。このため、未登録使用者が登録使用者になりすまして生体情報の測定を行うのを防ぐことができる。
【００７５】
なお、上記の閾値は、生体情報測定装置１００を他人の手首に付け替えることができる程度の時間よりも短い時間（例えば１秒程度）としておくことで、なりすましを防止することができる。
【００７６】
制御部３０は、記憶制御部３３が生体情報に対応付けて記憶する情報の内容を表示部５０に表示させることで、この内容を使用者に対して報知してもよい。制御部３０は報知部として機能する。報知部は、生体情報の管理プログラムをプロセッサが実行することで構成される機能ブロックである。
【００７７】
具体的には、図５のステップＳ３の判定がＹＥＳのときに、制御部３０は、登録使用者として測定を行うことを示すメッセージを表示部５０に表示させる。また、図５のステップＳ３の判定がＮＯのときに、制御部３０は、登録使用者ではない使用者として測定を行うことを示すメッセージを表示部５０に表示させる。
【００７８】
この構成によれば、表示部５０に表示されるメッセージによって個人識別部３５の判定結果を使用者が知ることができる。このため、入力部６０へのノイズの混入等によって、使用者が登録使用者であるにも関わらず未登録使用者であると誤判定されるような場合に、装置を装着しなおして認証を再度行うといった行動を使用者にとらせることができる。このような行動を使用者がとれることで、登録使用者の生体情報がダミーＩＤと対応付けて記憶されてしまうのを防ぐことができる。
【００７９】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００８０】
例えば、生体情報測定装置１００は、圧力センサ１０によって検出される圧脈波に基づいて生体情報を測定するものとしたが、光電脈波センサによって検出される脈波に基づいて生体情報を測定するものであってもよい。または、カフとカフ内圧を検出する圧力センサとによって生体情報を測定するものであってもよい。
【００８１】
生体情報測定装置１００は、１拍毎又は複数拍毎に生体情報を測定するものとしたが、３０分毎又は１時間毎等の予め決められた時間間隔で生体情報を測定し記憶するものであってもよい。このように、生体から継続的に生体情報を測定し記憶する生体情報測定装置において、本発明は有効となる。
【００８２】
また、生体情報測定装置１００は手首に装着して用いられるものとしたが、手首以外の動脈が通る生体部位に装着されて使用されるものであってもよい。
【００８３】
以上説明してきたように、本明細書には以下の事項が開示されている。
【００８４】
（１）  生体に装着された状態で前記生体から生体情報を継続的に測定する生体情報測定装置であって、前記生体情報測定装置が前記生体に装着されている装着状態と、前記生体情報測定装置が前記生体から外れている非装着状態とのどちらであるかを判定する着脱判定部と、前記装着状態において、前記生体情報測定装置を装着中の使用者が予め登録された登録使用者であるか否かを判定し判定結果を記憶する個人識別部と、前記使用者が前記登録使用者であるとする判定結果が記憶された場合に、前記登録使用者を示す情報を前記測定された生体情報と対応付けて記憶する記憶制御部と、を備え、前記個人識別部は、前記非装着状態であると判定されている期間が予め決められた時間を超える場合に、前記判定結果を消去する生体情報測定装置。
【００８５】
（２）  （１）記載の生体情報測定装置であって、前記記憶制御部は、前記使用者が前記登録使用者ではないとする判定結果が記憶された場合に、非登録使用者を示す情報を前記測定された生体情報と対応付けて記憶する生体情報測定装置。
【００８６】
（３）  （２）記載の生体情報測定装置であって、前記記憶制御部が前記生体情報に対応付けて記憶する前記情報の内容を報知する報知部を更に備える生体情報測定装置。
【００８７】
（４）  生体に装着された状態で前記生体から生体情報を継続的に測定する生体情報測定装置によって測定された生体情報の管理方法であって、前記生体情報測定装置が前記生体に装着されている装着状態と、前記生体情報測定装置が前記生体から外れている非装着状態とのどちらであるかを判定するステップと、前記装着状態において、前記生体情報測定装置を装着中の使用者が予め登録された登録使用者であるか否かを判定し判定結果を記憶するステップと、前記使用者が前記登録使用者であるとする判定結果が記憶された場合に、前記登録使用者を示す情報を前記測定された生体情報と対応付けて記憶するステップと、前記非装着状態であると判定されている期間が予め決められた時間を超える場合に前記判定結果を消去するステップと、を備える生体情報の管理方法。
【００８８】
（５）  生体に装着された状態で前記生体から生体情報を継続的に測定する生体情報測定装置によって測定された生体情報の管理プログラムであって、前記生体情報測定装置が前記生体に装着されている装着状態と、前記生体情報測定装置が前記生体から外れている非装着状態とのどちらであるかを判定するステップと、前記装着状態において、前記生体情報測定装置を装着中の使用者が予め登録された登録使用者であるか否かを判定し判定結果を記憶するステップと、前記使用者が前記登録使用者であるとする判定結果が記憶された場合に、前記登録使用者を示す情報を前記測定された生体情報と対応付けて記憶するステップと、前記非装着状態であると判定されている期間が予め決められた時間を超える場合に前記判定結果を消去するステップと、をコンピュータに実行させるための生体情報の管理プログラム。
【符号の説明】
【００８９】
１００  生体情報測定装置
１  本体部
２  ベルト
１０  圧力センサ
２０  押圧機構
１１  基体
１２  圧力検出素子
１２０  素子列
３０  制御部
３１  押圧制御部
３２  生体情報算出部
３３  記憶制御部
３４  情報入力要求部
３５  個人識別部
３６  着脱判定部
４０  記憶媒体
５０  表示部
６０  入力部
７０  着脱検知用センサ
ＴＤ  橈骨動脈
【図１】
2018099177.tif 000003
【図２】
2018099177.tif 000004
【図３】
2018099177.tif 000005
【図４】
2018099177.tif 000006
【図５】
2018099177.tif 000007